(57)【要約】      （修正有）【課題】螺子外径が異なる水道メータであっても水道メータユニットへの装着時の芯合せが容易で、長期の使用でも圧着部が地震や車両等の振動により螺子圧着が緩むことのない水道メータユニットの提供。【解決手段】水道メータユニットのメータホールダーに水道メータを載せ、予め測定しておいた各製造メーカーの水道メータの高さを前記高さ調整ダイアル部に目盛り印字しておき、使用する製造メーカの水道メータに合せて当該高さ調整ダイアルを操作して高さ調整、芯合せを行う。また回転部材の外周部にラチェット歯を設け当該ラチェットを有効あるいは無効にする操作ボタンを設けることにより、ラチェット機構で前記回転部材を回転させてスライド部材で水道メータの両端に有する流入口及び流出口外径部をメータホールダーに乗せ当該外径部の端面を圧着固定して、長期間に亘る使用中に地震や車両等による振動で圧着が緩み漏水等の事故の危険性をなくす。【選択図】  図３
2005214951.tif 000002
【特許請求の範囲】
【請求項１】
ベースの両端に止水栓等の断水装置と逆止弁あるいはソケット等の水道用部材がそれぞれ固定され前記中間部に水道メータ両端に有する螺子外径部を着脱可能に載置する装置を備え前記固定されている断水装置側あるいは前記固定されている水道用部材側から延長されて螺合する回転部材を有し当該回転部材を回転させることにより当該回転部材に螺合する摺動可能なスライド部材で前記中間部に載置した前記水道メータ両端に有する螺子外径部を圧着固定する水道メータユニットにおいて、前記載置形状が前記スライド部材端部側面から下半分が円弧状突起形状をなして延長され断面垂直方向に一定の幅を有した切欠部を施し当該切欠部は軸長手方向に延長され当該切欠部に上面が当該円弧状突起形状の内径と整合し幅は当該切欠部に垂直方向自在に嵌合し両端の厚みが異なる長手方向両端が垂直に切断している略半円筒形状の高さ調節コマで当該高さ調整コマの薄厚側が前記スライド部材と枢着され当該スライド部材の外面は螺子加工が施され当該スライド部材の外周にはリング形状の高さ調節ダイアルが回転可能に螺合する構造で、前記高さ調節ダイアルを回転した場合前記高さ調整コマが前記枢着部を要として垂直方向円形運動となり前記高さ調整コマのもう一方の端部が上下に移動することによって、前記水道メータを前記水道メータユニットに載置する場合に水等の流通孔が一貫して整合するように芯合せが可能となる特徴を有した水道メータユニット。
【請求項２】
前記請求項１記載の水道メータユニットにおいて、前記回転部材の端部がリング状突起形状を成し当該突起形状の周面にラチェット歯を施し前記ベースに固定されている前記断水装置から固定延長されているラチェット止め装置を備えた構造で、前記回転部材の回転がラチェット回転となり前記スライド部材の摺動移動によって前記水道メータ両端の外径部側面を圧着する締付強度が自然放置あるいは振動等で減下しないことを特徴とした水道メータユニット。
【発明の詳細な説明】
【技術分野】
【０００１】  本発明は、水道の流量計である水道メータの交換を容易にする水道メータユニットにおいて、水道メータ両端に有する流入口及び流出口外径の違いを調整する芯合せ機能と、圧着の緩みを防止するラチェット機能を備えた水道メータユニットに関する。
【背景技術】
【０００２】  水道料金の算定には水道メータが世帯主毎に個別に設置されているが、この水道メータは計器の精度を維持するために約８年毎に交換されている。従来は図２に示すように上流側（一次側）から通流されて延長されたパイプにソケット３８等によって水道メータ１の両端にある接続口の上流側接続口（流入口）が通流接続され当該水道メータ１のもう一方の下流側接続口（流出口）にソケット４等によって通流接続されて下流側（２次側）パイプを通じて各家庭の蛇口等に通流されている。ここで当該ソケット３８直前には使用中止時の断水のため、当該水道メータ１交換時あるいは漏水事故等の修理のため断水する目的でバルブ６が前記パイプと通流して取り付けられ、また当該ソケット４の直後には逆流防止のため止水弁が前記パイプと通流して取り付けられているのが通常である。【０００３】  前記のような水道メータ廻り配管は一戸建て住宅等の場合は敷地内の地中に埋設されており、また集合住宅の場合はパイプシャフトと呼ばれる格納スペースに収納されている。集合住宅の格納スペースは限られた空間に住居分の水道メータを設置しているため、水道メータの交換時には各住居から延長配管されているパイプ等の破損に気を遣いながら前記水道メータ１の両端に取り付けられているソケット３８、４等を工具等で回転着脱しなければならず水道メータ１の取替作業は熟練作業が要求されていた。また一戸建て及び集合住宅に設置した従来型の水道メータ廻り配管は鉄管、鉛管等から成るパイプと、鋳鉄、ステンレス、青銅、黄銅等から成るソケット等と、青銅、黄銅等から成る水道メータの異材質接続のため長期使用することで腐食が発生し、上記水道メータ交換時には漏水等の事故が多々起こる危険性を伴っていた。
【特許文献】
【０００４】  近年上記問題である水道メータ交換に伴う着脱作業の難易性、漏水等の危険性、異材質部品接続による腐食、上記格納スペース等限定空間内の有効設置等の問題を解決するために、例えば特開平９−２８０９１９、特開平９−２９７０４４及び特開２０００−１４４８１９公報に記載されているように圧着式水道メータユニットが開発されている。圧着式水道メータユニットは長尺状のベースの両端部に止水栓と逆止弁あるいはエルボとを固定する。水道メータは着脱装置を用いて当該止水栓と逆止弁あるいはエルボとの間に着脱可能に取り付けられる。当該止水栓と逆止弁あるいはエルボはそれぞれ底部から下方へ延びるボスを備え、当該ボスに形成したタップにボルトを締結することによりベースに固定される。着脱装置は止水栓の一方の水道メータ側開口部に回転可能に取り付けられた貫通孔を備えた回転部材と、内部に回転部材の貫通孔に連通する貫通孔を備え一端側で回転部材と螺合し他端は水道メータ両端に有する螺子外径部の一端を保持する円弧状に突出したメータホールダーを備えた摺動自在なスライド部材と、また当該ベースに固定された逆止弁あるいはエルボの一方の水道メータ側開口部側には水道メータ両端に有する螺子外径部の他端を保持する円弧状に突出したメータホールダーが固定されている。ここで水道メータの両端部に有する螺子外径部を当該メータホールダーに設置し当該回転部材を回転させることにより内部に備えたスライド部材が平行移動し水道メータ両端の螺子外径部を圧着固定するのである。更に水道メータの取外し時には当該回転部材を逆回転させることにより当該スライド部材が水道メータ側から離れる方向に平行移動するため取外しが可能となる。
【発明の開示】
【発明が解決しようとする課題】
【０００５】  上記従来の水道メータユニットは回転部材を操作する時に工具等を使わずに回転して水道メータの着脱が容易に行うことが可能であり、また水道メータユニットは水道メータを圧着する止水栓部と逆止弁部を固定したベースが地盤あるいは床等に固定されているため所謂メータ廻り配管には一切接触することなく水道メータの交換が可能となり水道メータの交換時に起こりえる錆たあるいは老朽化したパイプ等の破損による漏水等の危険性が極度に減少する利点がある。しかしながら水道メータは製造メーカーによって水道メータ両端に有する上流側の流入口と下流側の流出口の螺子外径部が異なるため前記円弧状突起形状のメータホールダーに水道メータ両端の螺子外径部を保持する時に前記上流側から一貫して下流側に流通させるのが適正であるが、水道メータ両端の螺子外径部の外径と当該メータホールダーの円弧中心から上面所謂内径が異なる場合、流通孔は整合しない状態所謂芯ずれ状態となり上流側から流通する流量が水道メータにおいて正しく計測できない状態となり、また下流側末端である蛇口部で水圧の低下を招く恐れもあった。【０００６】  また従来の水道メータユニットは回転自在な回転部材を回転させることによって内部に回転部材の貫通孔に連通する貫通孔を備え一端側で回転部材と螺合し他端は水道メータ両端に有する螺子外径部の一端を保持する円弧状に突出したメータホールダーを備えた摺動自在なスライド部材で水道メータの外径部を軸長手方向に圧着し固定するのであるが、回転自在な回転部材は地震や車両等の振動により螺子圧着が緩む危険性が伴う。
【課題を解決するための手段】
【０００７】  上記課題を解決するために本発明においては、円弧状突起形状のメータホールダー部の断面垂直方向に一定の幅を有した切欠部を施し、当該切欠部を軸長手方向に当該円弧状突起形状に延長し且つ前記水道メータの両端外径部の垂直方向端面を接合する環状部まで延長させる。当該円弧状突起形状のメータホールダー部端面から当該環状部まで延長している切欠部部に、上面が当該円弧状突起形状の内径と整合する円弧形状で幅は当該切欠部に嵌合し垂直方向自在に可動で厚みは当該メータホールダー端面側が厚く当該環状部側が薄くなっている所謂テーパー形状の高さ調整コマで、当該環状部側端部を枢着し当該枢着部を要として垂直方向に円運動自在な機能を有しており、一方当該環状部の外周は螺子切が施されておりまた外周部上には当該螺子切と螺合するリング状の高さ調整ダイアルを備えている。ここで当該高さ調整ダイアルを回転させると当該高さ調整ダイアルは当該環状部外周面に切られている螺子に沿って平行方向に移動し、当該高さ調整ダイアルが水道メータ側方向に移動すると肉厚が異なるテーパー形状の当該高さ調整コマが当該枢着部を要として上方に円移動し、また当該高さ調整ダイアルが止水栓側に移動すると当該高さ調整コマは下方に円移動することになる。これにより種々の水道メータの両端外径が異なる水道メータであっても、当該高さ調整ダイアルを回転させて当該高さ調整コマを円方向に上下移動させることにより高さ調節を図り上流側から下流側まで一貫して整合する流通孔となる芯合せが可能となる。【０００８】  また前記環状部の止水栓側端部には外周が円状突起しており当該円状突起外周部にはラチェット歯が施され、前記止水栓から固定延長されているラチェット止め部が当該ラチェット歯上部に設けられ、当該ラチェット止め部のボタンを操作することによりラチェット機構が有効または無効になる構造となっている。これにより水道メータを圧着固定するために前記回転部材を回転させる時にはラチェット機構が有効となり圧着固定が終了した状態で放置しても地震や車両の振動で圧着固定部が緩むことはない。また水道メータを取り外す時には当該ラチェット止め部のボタン操作でラチェット機構を無効にすれば当該回転部材を逆回転させることが可能となる。
【発明の効果】
【０００９】上記の本発明によれば、水道メータの製造メーカによって異なる水道メータ両端に有する流入口と流出口の外径に関係なく本発明の水道メータユニットのメータホールダーに水道メータを載せ、予め測定しておいた各製造メーカーの水道メータの高さを前記高さ調整ダイアル部に目盛り印字をしておけば、使用する製造メーカの水道メータに合せて当該高さ調整ダイアルを操作するだけで容易に高さ調整が可能となり水道メータの配管において上流側から下流側で一貫した通流所謂芯合せが可能となる。また前記回転部材の外周部にラチェット歯を設け当該ラチェットを有効あるいは無効にする所謂ラチェット操作ボタンを設けることにより、ラチェット機構で前記回転部材を回転させて前記スライド部材で水道メータの両端に有する流入口及び流出口外径部を前記メータホールダーに乗せ当該外径部の端面を圧着固定すれば、長期間に亘る使用中に地震や車両等による振動で圧着が緩み漏水等の事故で危険性がなくなる。
【発明を実施するための最良の形態】
【００１０】  以下、本発明の具体的実施例を図面に基づいて説明する。しかし下記の実施例は一例であり本発明の範囲を限定するものではない。
【実施例】
【００１１】  図１は現在国内で使用されている水道メータ１の正面図である。水道メータ１の上面には蓋１９が当該蓋１９の一端を水道メータ本体と枢着されて開閉可能となっている。図示はされていないが、当該蓋１９の下方で水道メータ１の上面には流量を測定する検診針が設けられていろ。水道メータ１の両端には上流側の流入口螺子外径部２と下流側の流出口螺子外径部３を有している。この上流側の流入口螺子外径部２と下流側の流出口螺子外径部３の外径は製造メーカーによって異なるため、水道メータ１を従来の水道メータユニットのメータホールダーに乗せて圧着固定する際には流通孔を一貫整合させて芯合せするのが難しい。【００１２】  図３は本発明である芯合せ調整コマと圧着時のラチェット機構を有する水道メータユニットの断面概略図である。ベース１４に固定ボルト１５によって上流側に止水栓１３が下流側に逆止弁９が固定されている。当該止水栓１３と当該逆止弁９の各上流側及び下流側にはそれぞれ雌螺子ソケットが一体構造を成し上流側及び下流側に配管接合される構造になっている。ここで実施例として雌螺子ソケットを止水栓１３及び逆止弁９に一体成形させているが用途に応じてメータソケットあるいは雄螺子ソケットでも良い。尚止水栓１３及び逆止弁９の構造は公知であるので説明を省略する。前記止水栓１３と逆止弁９間には水道メータ１の流入口螺子外径部２と流出口螺子外径部３を保持する流入口メータホールダー１７と流出口メータホールダー３６をそれぞれ備えている。流出口メータホールダー３６は流出口環状部２３を挟んで逆止弁９と一体成形を成し、断面円周部の下半分が円弧状突起形状を成し断面垂直方向に一定の幅を有した切欠部を施し、当該切欠部は当該環状部２３まで軸長手方向に延長している。当該円弧状突起形状の延長初端部断面から軸長手方向で下流方向に一貫流通する流通孔が設けられ当該円弧状突起形状の延長初端部の断面流通孔周部は水道メータ１の流出口螺子外径部３の断面端部が接合する押し止め構造になっている。尚この押し止め構造部には漏水を防止するため平形パッキングを装着しても良い。流出口メータホールダー３６端面から環状部２３まで延長している切欠部に、上面が当該円弧状突起形状の内径と整合し中間部が凹状に円弧形状を成し、幅は当該切欠部に嵌合し垂直方向自在に可動で厚みは当該流出口メータホールダー３６端面側が厚く当該流出口環状部２３側が薄くなっている円弧形状で所謂テーパー形状の高さ調整コマ８で、当該流出口環状部２３内部で枢着し当該枢着部を要として垂直方向に円運動自在な機能を有しており、一方当該流出口環状部２３の外周は螺子切が施されておりまた外周部上には当該螺子切と螺合するリング状の高さ調整ダイアル２２を備えた構造と成っている。【００１３】  一方流入口メータホールダー２は、断面円周部の下半分が円弧状突起形状を成し断面垂直方向に一定の幅を有した切欠部を施し、当該切欠部は当該流入口環状部２４まで軸長手方向に延長している。当該円弧状突起形状の延長初端部断面は上流方向から一貫流通する流通孔が長手方向に中心部に設けられ当該円弧状突起形状の延長初端部の断面流通孔周部は水道メータ１の流入口螺子外径部２の断面端部が接合する押し止め構造になっている。尚この押し止め構造部には漏水を防止するため平形パッキングを装着しても良い。流入口メータホールダー２端面から環状部２４まで延長している切欠部に、上面が当該円弧状突起形状の内径と整合し中間部が凹状に円弧形状を成し、幅は当該切欠部に嵌合し垂直方向自在に可動で厚みは当該メータホールダー２端面側が厚く当該流入口環状部２４側が薄くなっている凸状の所謂テーパー形状の高さ調整コマ２７で、当該流入口環状部２４内部で枢着し当該枢着部を要として垂直方向に円運動自在な機能を有しており、一方当該環状部２４の外周は螺子切が施されておりまた外周部上には当該螺子切と螺合するリング状の高さ調整ダイアル７を備えた構造と成っている。【００１４】  上記流入口環状部２４と前記止水栓１３を挟んで当該止水栓１３から軸長手方向に円筒状に一体延長されている回転軸筒２８外周に外周部にラチェット歯１１と圧着ハンドル１０を有した回転部材１６が回転可能に嵌合され、当該回転軸筒２８外周端部にはリング状の突起部２６が一体成形されて、一方回転可能に嵌合する回転部材１６内部は当該回転軸筒２８外周に設けられている突起部２６の形状に整合するように内径が凹凸に成っており、当該回転軸筒２８のリング状突起部２６側面と当該回転部材１６の内面で内径が狭まる頭部が軸長手方向において面接合し且つ当該回転部材１６の内周には前記回転軸筒２８外周端部のリング状突起部２６の反対側面に接合する止め輪が収まる位置にリング状の溝が掘られており、この構造により軸長手方向に対して回転は可動であるが横方向には可動しない構造となっている。当該回転部材１６の流入口メータホールダー１７側端部内面は螺子が施されており、外周部に螺子を施されているスライド部材４０と螺合している。当該スライド部材４０は内部が空洞な略円筒形状を成しており端部側面からは前記流入口メータホールダーが延長されいる。スライド式圧着機構は公知であるが、本発明の実施例で採用した機能を詳細すると、ベース１４に固定されている止水栓１３から下流側軸長手方向に延長された筒状回転軸筒２８のリング状突起物に回転部材１６内周端部が中間部より長径に座ぐりされており当該長径座ぐり部に前記回転軸筒２８上のリング状突起物が面接合し、また当該リング状突起物上流側に接地する回転部材１６内周部には凹状溝を有して止め輪２９が嵌合し、当該回転部材１６が横方向に固定される構造となっている。回転部材１６内周他端部には螺子が施され流入口メータホールダー１７、流入口環状部２４と一体成形されているスライド部材４０が螺合し、圧着ハンドル１０を操作して回転部材１６を回転させると当該スライド部材４０が横方向に移動し、梃子の原理を応用した圧着ハンドル１０で水道メータの両端にある流入口螺子外径部２と流出口螺子外径部３が圧着接合されることになる。【００１５】  前記回転部材１６の外周端部にリング状突起形状を有し、当該突起形状周部はラチェット歯１１が施されている。当該ラチェット歯は回転部材１６外周部に圧着ハンドル１０と共に設けられており、圧着ハンドル１０の操作によって回転部材と共に当該ラチェット歯が回転する構造になっている。前記止水栓１３上部に螺子接合等によ��て固定されたラチェット止め部３１が当該ラチェット歯１１上に位置する構造でラチェット止めがラチェット歯１１と噛合するとラチェット機構が有効となりラチェット止めがラチェット歯と噛合しない場合はラチェット機構が無効となる仕組みになっている。尚、このラチェット機構の有効、無効の操作はラチェット止めボタン１２で行う。【００１６】  図４及び図５は本発明の実施例である高さ調整コマの構造を説明する部分立体図と断面図である。水道メータ両端にある流入口螺子外径部２と流出口螺子外径部３を保持する流入口メータホールダー１７と流出口メータホールダー３６は対を成した同一構造であるため流入口メータホールダー１７でその詳細を説明する。下半分が円弧状に突起して流入口環状部２４から延長されている流入口メータホールダー１７の当該円弧状延長部は垂直に切欠されており流入環状部２４まで延長されている。当該流入環状部２４外周部には螺子が施され高さ調整ダイアル７が外側に螺合されている。当該切欠部に上下移動可能に嵌合する高さ調整コマ２７は上面が当該円弧状突起形状の内径と整合し中間部が凹状に円弧形状を成し、幅は当該切欠部に嵌合し垂直方向自在に可動で厚みは当該メータホールダー１７端面側が厚く当該流入環状部２４側が薄くなっている円弧状で所謂テーパー形状の高さ調整コマ２７で、当該流入口環状部２４内部で枢着し当該枢着部を要として垂直方向に円運動自在な機能を有しており、一方当該流入口環状部２４の外周は螺子切が施されておりまた外周部上には当該螺子切と螺合するリング状の高さ調整ダイアル７を備えた構造と成っている。ここで当該高さ調整ダイアル７を回転させると当該高さ調整ダイアル７は当該流入口環状部２４外周面に切られている螺子に沿って軸長手方向平行に移動し、当該高さ調整ダイアル７が水道メータ側方向に移動すると肉厚が異なるテーパー形状の当該高さ調整コマ２７が当該枢着部を要として上方に円移動し、また当該高さ調整ダイアルが止水栓側に移動すると当該高さ調整コマは下方に円移動することになる。これにより種々の水道メータの両端外径部が異なる水道メータであっても、当該高さ調整ダイアル７を回転させて当該高さ調整コマを円方向に上下移動させることにより高さ調節を図り上流側から下流側まで一貫して整合する流通孔となる芯合せが可能となる。【００１７】  図６はラチェット機構部の断面図である。回転部材１６と一体成形された円筒状の外周部にはラチェット歯１１が施されており、上部には止水栓１３から固定されたラチェット止め部が設けてある。ラチェット止め部は枠体部が内部に水平方向中間部が凸状弾性物３１が充填されており、一方ラチェット止め部は下端部がラチェット歯１１と整合する形状のラチェット止め歯３２で中間部は垂直方向２ヶ所に凸状突起形状３３を成している。更に当該ラチェット止め上端部にはラチェット止めを上下に操作可能なラチェット止めボタン１２を有し、ラチェット止めボタン１２を下方に押してラチェット止め下端部がラチェット歯１１と噛合した場合はラチェット機構が有効となりラチェット止めボタン１２を上方に引けばラチェット止めがラチェット歯１１から外れラチェットは無効となる。尚当該ラチェット止め部は前記凸���弾性物３１と前記凸状突起形状３３の摩擦により自然移動しない構造になっている。【００１８】  図７は本発明の実施例で用いたスライド式圧着機構を説明する部分断面図である。前記ベースに固定されている止水栓１３から下流側軸長手方向に延長された筒状回転軸筒２８のリング状突起物に回転部材１６内周端部が中間部より長径に座ぐりされており当該長径座ぐり部に前記回転軸筒２８上のリング状突起物３５が面接合し、また当該リング状突起物３５上流側に接地する回転部材１６内周部には凹状溝３４を有して止め輪２９が嵌合し、当該回転部材１６が横方向に固定される構造となっている。回転部材１６内周他端部には螺子が施され流入口メータホールダー１７、流入口環状部２４と一体成形されているスライド部材４０が螺合し、圧着ハンドル１０を操作して回転部材１６を回転させると当該スライド部材４０が横方向に移動する。回転部材１６の上流側側面は前記リング状突起物３５で横方向に固定されているためスライド部材４０が横方向に移動をする。当該スライド部材４０の下流側側面３９は肉厚が前記水道メータの両端にある前記流入口螺子外径部の側面を押し圧に十分な厚みを有しており、前記水道メータ端部に有する流入口螺子外径部を流入口メータホールダー１７に載せて、高さ調整リング７を操作して高さ調整コマ２７を上下移動させ当該スライド部材中心部に軸長手方向に設けてある一貫した流通孔の内周と前記水道メータ端部に有する流入口外径部中心部に軸長手方向に設けてある一貫した流通孔の内周とを整合所謂芯合せを行い、梃子の原理を応用した圧着ハンドル１０を操作して回転部材１６を回転させると当該スライド部材４０の側面３９に接合された前記水道メータ端面に有する流入口螺子外径部側面は圧着され固定するのである。
【図面の簡単な説明】
【００１９】
【図１】水道メータの正面図
【図２】メータユニットを使用しないメータ廻り配管図例
【図３】本発明のメータユニット断面概略図
【図４】本発明のメータホールダー部分立体図
【図５】本発明のメータホールダー部分断面図
【図６】本発明のラチェット機構部部分断面詳細図
【図７】水道メータ圧着機構部分断面図
【符号の説明】
【００２０】１・・・・水道メータ
２・・・・流入口螺子外径部
３・・・・流出口螺子外径部
７・・・・高さ調整ダイアル
８・・・・高さ調整コマ
９・・・・逆止弁
１０・・・圧着ハンドル
１１・・・ラチェット歯
１２・・・ラチェット止めボタン
１３・・・止水栓
１４・・・ベース
１６・・・回転部材
１７・・・流入口メータホールダー
２２・・・高さ調整ダイアル
２７・・・高さ調整コマ
２８・・・回転軸筒
３６・・・流出口メータホールダー
４０・・・スライド部材
【図１】
2005214951.tif 000003
【図２】
2005214951.tif 000004
【図３】
2005214951.tif 000005
【図４】
2005214951.tif 000006
【図５】
2005214951.tif 000007
【図６】
2005214951.tif 000008
【図７】
2005214951.tif 000009